(57)【要約】【課題】  見た目のインパクトも大きく、表示内容の一部変更も可能な吊り下げ型装飾を提供する。【解決手段】  パチンコ店の天井から吊り下げて使用する天井吊り下げ型装飾であって、正方形に形成されたフレーム１０４及び当該フレーム１０４に取り付ける表示部１０８を備えてなる５枚のパネル体１０２を、フレーム同士１０４を連結できるジョイント１１０により天面が無い有底角筒形に結合し、前記表示部１０８を、完全に光を遮断せずに一定程度光を透過する素材で構成する。【選択図】図１
2013180096.tif 000002
【特許請求の範囲】
【請求項１】
パチンコ店の天井から吊り下げて使用する天井吊り下げ型装飾であって、
正方形に形成されたフレーム及び当該フレームに取り付ける表示部を備えてなる５枚のパネル体を、前記フレーム同士を連結できるジョイントにより天面が無い有底角筒形に結合し、
前記表示部は、完全に光を遮断せずに一定程度光を透過する素材で構成されている
ことを特徴とする天井吊り下げ型装飾。
【請求項２】
請求項１において、
前記フレームが樹脂製の中空パイプと当該中空パイプを連結する樹脂製のエルボ−で構成されると共に、前記表示部が布で構成されている
ことを特徴とする天井吊り下げ型装飾。
【請求項３】
請求項１又は２において、
前記表示部は、表面と裏面で異なる表示がされている
ことを特徴とする天井吊り下げ型装飾。
【発明の詳細な説明】
【技術分野】
【０００１】
本発明は、パチンコ店に設置される装飾に関し、特に天井から吊り下げる形式の装飾に関する。
【背景技術】
【０００２】
従来、非特許文献１に示されているように、パチンコ店の店内装飾として様々な形式のものが存在している。島に取り付けるタイプのもの、島上に配置するタイプのもの、天井から吊り下げるタイプのものなど用途に応じて多くの提案がなされている。
【０００３】
そのうち、特に天井から吊り下げるタイプのものは平板状の平面的なものが主流であり、立体的なものもあるが、風船（バルーン）のように空気を入れて膨らますような形式のものばかりである。
【先行技術文献】
【非特許文献】
【０００４】
【非特許文献１】P-WARLDウェブサイト「パチンコ店向け商品カタログ」のページ（https://store.p-world.co.jp/）
【発明の概要】
【発明が解決しようとする課題】
【０００５】
しかしながら、平板状の吊り下げ型の装飾の場合、シンプルではあるもののその反面インパクトに乏しく、見る角度が変ると殆ど見えなくなるという問題がある。
【０００６】
一方、風船のような装飾は立体的でインパクトはあるものの、使っている間に空気が抜けて却って見窄らしくなるため定期的なメンテナンスや交換が必要となる。更に、交換する時は全体を交換するしかなく、風船型装飾の一面側だけを交換するといった事は不可能であった。更に大型のものを設置するような場合は、照明を遮ってしまい陰になる部分が過度に暗くなってしまうという問題もある。
【０００７】
本発明は、上記問題点を一気に解決できる天井吊り下げ型装飾を提供する事をその課題としている。
【課題を解決するための手段】
【０００８】
上記課題を解決するべく、本願発明は、パチンコ店の天井から吊り下げて使用する天井吊り下げ型装飾であって、正方形に形成されたフレーム及び当該フレームに取り付ける表示部を備えてなる５枚のパネル体を、前記フレーム同士を連結できるジョイントにより天面が無い有底角筒形に結合し、前記表示部は、完全に光を遮断せずに一定程度光を透過する素材で構成されていることを特徴とする。
【０００９】
このような構成を採用したことによって、インパクトがあり且つどの方向から見ても容易に視認することができる立体的な天井吊り下げ型装飾を提供することができる。また空気を入れる必要も無いので、時間の経過と共に空気が抜けて萎むようなこともない。更に、敢えて天面にパネル体を配置せずに且つ表示部を完全に光を遮断せずに一定程度光を透過するような素材で構成しているので、当該装飾を天井に吊り下げても照明の光が遮断され難い。即ち装飾の立方体内に積極的に光を取り入れる構成となっており且つ取り入れた光を透過させて暗い影が発生するのを防止している。また、特定のパネル体だけを交換することもできるので、季節や時間、イベント等の有無に応じて適宜好みの内容を表示する装飾を実現できる。
【００１０】
また、フレームを樹脂製の中空パイプと当該中空パイプを連結する樹脂製のエルボーで構成すると共に、表示部を布で構成することが望ましい。
【００１１】
これにより装飾自体を軽量に仕上げる事ができる。更に面積の大部分を占める表示部は布製であるから、万が一落下するような事態が生じたとしても怪我の発生や器物の破損等を最小限に抑えることが可能となっている。
【００１２】
請求項１又は２において、前記表示部は、表面と裏面で異なる表示がされていることを特徴とする天井吊り下げ型装飾。
【００１３】
このように構成すれば、特定の若しくは全部のパネル体を裏返すことによって異なる表示を行うことができ、一つの装飾であっても表示のバリエーションを確保することができる。
【発明の効果】
【００１４】
本発明を適用することで、見た目のインパクトも大きく、表示内容の一部変更も可能な吊り下げ型装飾を提供する事ができる。
【図面の簡単な説明】
【００１５】
【図１】本発明に係る天井吊り下げ型装飾の概略斜視図である。
【図２】（ａ）がフレームの正面図、（ｂ）が表示部の正面図である。
【図３】（ａ）がフレーム角部の拡大図、（ｂ）がジョイントの斜視図である。
【図４】本発明に係る天井吊り下げ型装飾の設置例を示した図である。
【発明を実施するための形態】
【００１６】
以下、添付図面を参照しつつ、本発明の実施形態の一例である天井吊り下げ型装飾１００（以下単に「装飾」という場合がある。）について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１７】
〈天井吊り下げ型装飾の構成〉
図１に示しているように、装飾１００は、斜め下方から見ると略立法体の形状を成している。底面と当該底面に接する４つの壁面はそれぞれパネル体１０２により構成されており、天面のみを有しない所謂「有底角筒形」である。即ち、装飾１００は５枚のパネル体１０２を中心として構成されている。
【００１８】
それぞれのパネル体１０２は、図２に示しているように樹脂製のフレーム１０４（図２（ａ）参照）と、布製の表示部１０８（図２（ｂ）参照）とからなる。
【００１９】
図２（ａ）に示すように、フレーム１０４は４本の中空パイプ１０５と４つのエルボー１０６とからなる。エルボー１０６は９０度に折れ曲がるように（Ｌ字型に）構成され、両端に中空パイプ１０５の中空部１０５ａに嵌入できる嵌入部１０６ａを備える（図３（ａ）参照）。エルボー１０６の両端にそれぞれ中空パイプ１０５を差し込むと丁度略正方形のフレーム１０４となる。
【００２０】
表示部１０８は、略正方形に成形されており布生地（完全に光を遮断せずに一定程度光を透過する程度の素材・厚み）でできている。四隅が僅かに切り欠かれていて、各辺は折り返して縫製されることによって辺に沿って筒状となるように構成されている（挿通部１０９）。この挿通部１０９は前述した中空パイプ１０５を挿通することができる程度の大きさに形成されている。表示部１０８の表面には、図示していないが、所望の文字や図形、記号、更にはこれらの組み合わせが表示されている。なお、５枚のパネル体１０２に表示される内容は同じであってもよいし異なっていてもよい。また表面のみに表示されていてもよいし、裏面にも表示されていてもよい。その場合表面と裏面で表示内容が異なるように構成されていてもよい。
【００２１】
各挿通部１０９にそれぞれ中空パイプ１０５を挿通させた上で、隣り合う中空パイプ１０５同士をエルボー１０６で繋ぐと、フレーム１０４に表示部１０８が一体化されてパネル体１０２が完成する。
【００２２】
このようにして構成される５枚のパネル体１０２は、ジョイント１１０（図３（ｂ）参照）によって連結されている。具体的には、エルボー１０６の嵌入部１０６ａが嵌入している部位同士がジョイント１１０によって連結されている。このジョイント１１０は「Ｃ字」形状のクリップ１１０ａが背中合わせに連結部１１０ｂで連結された構成とされている。また、クリップ部１１０ａの内径は中空パイプ１０５の外径よりも小さくなっており、中空パイプ１０５に嵌め込むと中空パイプ１０５を強く把持できるように構成されている。
【００２３】
５枚のパネル体１０２は底面を構成するパネル体と、当該底面を構成するパネル体の四辺に直角に立ち上がるようにジョイント１１０で連結して取り付けられている。同時に壁面を構成する隣り合うパネル体同士もジョイント１１０で連結されている。本実施形態では隣り合うパネル体１０２同士は２つのジョイント１１０で強固に連結されている。また、ジョイント１１０は中空パイプ１０５を覆う挿通部１０９の上から取り付けられ、挿通部１０９がずれることを防止できる構成とされている。
【００２４】
〈天井吊り下げ型装飾の作用・機能〉
このようにして構成された装飾１００は、図４に示しているようにパチンコ店の天井１８からワイヤー、樹脂性のテグス等によって吊り下げられて使用される。例えば図４に示しているように、島１０の上部を飾るように設置すると、島１０上部の空間を有効に利用することができると共に、いずれの方向から見ても装飾１００の存在を認識でき、来店客にインパクトを与えることができる。
【００２５】
また、仮に図４のように照明２０の真下位置に設置しても、本願発明に係る装飾１００は天面が開いた（天面にパネル体１０２が無い）構成とされているので、装飾１００内部に光を取り込むと共に、各パネル体１０２を構成する表示部１０８は完全に光を遮断せずに一定程度光を透過する手程度の素材・厚みで構成されているので、周囲に光を積極的に漏らすような構成とされている。よって、装飾１００自体も明るく目立つようになる上に、装飾１００があることによって過度に周囲が暗くなってしまうことを防止している。
【００２６】
また、５枚のパネル体１０２のうち、特定のパネル体１０２だけを交換することもできるので、季節や時間、イベント等の有無に応じて適宜好みの内容を表示が実現できる。
【符号の説明】
【００２７】
１０・・・島（遊技台設置島）
１２・・・遊技台
１４・・・椅子
１６・・・通路
１８・・・天井
２０・・・照明
１００・・・天井吊り下げ型装飾
１０２・・・パネル体
１０４・・・フレーム
１０５・・・中空パイプ
１０５a・・・中空部
１０６・・・エルボー
１０６ａ・・・嵌入部
１０８・・・表示部
１０９・・・挿通部
１１０・・・ジョイント
１１０ａ・・・クリップ部
１１０ｂ・・・連結部
【図１】
2013180096.tif 000003
【図２】
2013180096.tif 000004
【図３】
2013180096.tif 000005
【図４】
2013180096.tif 000006